(57)【要約】  空気調和機は、熱交換器（１０２）と、ファン（１０３）を回転させる電動機とを備える。電動機は、固定子鉄心（１１）を有する固定子と、回転子と、回転軸（１６）を支持する軸受（１５ａ、１５ｂ）を固定する２つの導電性のブラケット（１７、１９）とを備える。２つのブラケット（１７、１９）は互いに電気的に接続される。熱交換器（１０２）は、大地アースを行うための接地部（１１０）を有し、固定子鉄心（１１）は接地部（１１０）に電気的に接続される。この構成により、熱交換器（１０２）および固定子鉄心（１１）の電位がゼロとなるため、熱交換器（１０２）からファン（１０３）を介して回転軸（１６）に流れ込む高周波電流が抑制される。また、２つのブラケット（１７、１９）が同電位となるため、高周波電流の流れが抑制される。従って、高周波による軸受（１５ａ、１５ｂ）の電食の発生が抑制される。
2011043075.tif 000002
【特許請求の範囲】
【請求項１】
導電性金属部材を含み構成された熱交換器と、前記熱交換器により空気調和された空気を送風するファンと、前記ファンに接続された回転軸により前記ファンを回転駆動する電動機とを備え、
前記電動機は、
固定子鉄心に巻線が巻かれた固定子と、
前記回転軸を中心に前記固定子に対向して配置された回転子と、
前記回転軸を支持する軸受と、
前記軸受を固定する２つの導電性のブラケットとを備え、
前記熱交換器は、前記導電性金属部材に、大地アースを行うための接地部を有し、
前記２つのブラケットを互いに電気的に接続し、
前記固定子鉄心を前記接地部に電気的に接続した空気調和機。
【請求項２】
互いに電気的に接続した前記２つのブラケットを、さらに前記接地部に電気的に接続した請求項１に記載の空気調和機。
【請求項３】
少なくとも前記固定子鉄心は、キャパシタを介して前記接地部に電気的に接続された請求項１に記載の空気調和機。
【請求項４】
前記２つのブラケットの少なくとも一方と、前記巻線が巻かれた前記固定子鉄心とは、絶縁樹脂により一体成形された請求項１に記載の空気調和機。
【請求項５】
前記２つのブラケットは、前記電動機の内部で電気的に接続された請求項１に記載の空気調和機。
【請求項６】
前記固定子鉄心に巻かれた前記巻線は、パルス幅変調方式のインバータにより駆動される請求項１に記載の空気調和機。
【発明の詳細な説明】
【技術分野】
【０００１】
本発明は、送風を行うためのファンを回転駆動する電動機を備えた空気調和機に関する。
【背景技術】
【０００２】
冷暖房などの空気調和を行う空気調和機は、一般に、送風を行うためのファンおよび、このファンを回転駆動するための電動機を備える。また、近年、電動機としては、いわゆるブラシレスモータが採用されることが多い。ブラシレスモータには、パルス幅変調（Ｐｕｌｓｅ  Ｗｉｄｔｈ  Ｍｏｄｕｌａｔｉｏｎ）方式（以下、ＰＷＭ方式という）のインバータが用いられる。一方、ＰＷＭ方式は、高周波のパルスを利用してスイッチングを行うため、ブラシレスモータから不要な高周波信号が輻射されやすい。【０００３】
このため、例えば特許文献１に開示された空気調和機は、電動機から輻射された高周波ノイズの低減を図る。この空気調和機は、ノイズが輻射されやすい箇所がシールドケースで覆われ、シールドケースが空気調和機の内部のアース線に接続される。【０００４】
また、電動機がＰＷＭ方式のインバータ駆動の場合、巻線の中性点電位がゼロとならない。このため、軸受の外輪と内輪との間に電位差（以下、軸電圧という）が発生する。軸電圧は、スイッチングによる高周波成分を含むため、軸電圧が軸受の内部の油膜の絶縁破壊電圧に達すると、軸受の内部に微小電流が流れる。このため、軸受の内部に電食が発生する。電食が進行した場合、軸受の内輪、軸受の外輪または軸受ボールに波状の摩耗現象が発生し、異常音に至ることがある。この異常音は、電動機における不具合の主要因の一つである。【０００５】
上記のように、ＰＷＭ方式を用いた電動機では、ノイズとなる不要な高周波信号が発生しやすい。さらに、このような不要な電磁輻射によって、軸受に電食が発生しやすい。【０００６】
従来、電食を抑制するために、以下のような対策が行われていた。【０００７】
（１）軸受の内輪と軸受の外輪とを導通する。【０００８】
（２）軸受の内輪と軸受の外輪とを絶縁する。【０００９】
（３）軸電圧を低減する。【００１０】
上記（１）の具体的構成としては、軸受の潤滑剤として導電性の潤滑剤を用いる構成がある。但し、導電性潤滑剤は、時間の経過とともに導電性が悪化する。また、導電性潤滑剤は、時間の経過とともに摺動信頼性が悪化する。また、回転軸にブラシを設置し、導通状態にする構成もあるが、ブラシの摩耗粉が発生することや、ブラシを設置するスペースが必要となる。【００１１】
上記（２）の具体的構成としては、軸受の内部の鉄ボールを非導電性のセラミックボールに変更する構成がある。この構成は、電食の抑制に対しては非常に有効であるが、一方、コストが高い。このため、汎用的な電動機には採用できない。【００１２】
上記（３）の具体的構成としては、固定子鉄心と導電性を有した金属製のブラケットとを電気的に短絡させることにより、静電容量を変化させて、軸電圧を低減する構成がある。例えば、特許文献２では、固定子鉄心とブラケットとを短絡させることにより、固定子側のインピーダンスが低くなり、これによって軸受の電食が抑制される。【００１３】
一般的に、洗濯機や食器洗い乾燥機など、水が使用され、感電対策が必要である電動機は、充電部の絶縁（すなわち、基礎絶縁）以外に、独立した絶縁を追加する必要がある。一方、空気調和機に使用される電動機は、感電のおそれがないため、このような、基礎絶縁以外の独立した絶縁は必要ない。【００１４】
従って、空気調和機に使用される電動機は、回転子が絶縁構造ではない場合が多い。このため、回転子側（つまり、軸受の内輪側）のインピーダンスは低い。これに対して、固定子側（つまり、軸受の外輪側）は、絶縁構造であるため、インピーダンスが高い。この場合、インピーダンスによる電圧降下の差が発生し、軸受の内輪側の電位は高く、対して、軸受の外輪側の電位は低い。このため、軸受での電位がアンバランスとなり、高い軸電圧が発生する。このような高い軸電圧により、軸受に電食が発生する。【００１５】
このような状態を避けるために、上記電動機では、固定子鉄心とブラケットとが短絡される。これにより、固定子鉄心とブラケットとの間の静電容量成分が無くなり、上述したように固定子側のインピーダンスが低くなり、回転子側のインピーダンスと近似する。【００１６】
また、近年の電動機では、固定子側の固定子鉄心などの固定部材がモールド材などによりモールドされ、信頼性の向上が図られる。このような電動機はモールドモータと呼ばれる。モールドモータにおいては、金属製のブラケットに代えて、絶縁性のモールド材により軸受が固定されることにより、軸受の外輪側に発生する不要な高周波電圧や、軸受の内外輪の間を流れる不要な高周波電流が抑制される。しかしながら、このようなモールド材は樹脂であるため、軸受を固定する用途としては、強度が不充分である。また、このようなモールド材は、樹脂成形により作製されるため、寸法精度が悪く、軸受のクリープが発生しやすい。一般的に、ベアリングのような軸受は、例えば外輪とハウジングの内周面との間に隙間がある場合、伝達負荷によって、シャフトにラジアル方向の力が発生する。このような力が発生すると、径方向の相対差によって滑り現象が発生しやすくなる。このような滑り現象がクリープと呼ばれる。一般的に、クリープは、外輪をブラケットなどのハウジングに強固に固定することにより抑制される。一方、電動機の高出力化に伴い、軸受をより強固に固定する必要がある。このため、クリープ対策としては、例えば、予め鋼板で加工された、寸法精度の高い金属製のブラケットを軸受の固定に用いることが不可欠である。また、軸受は回転軸に対して２箇所で受ける構造が一般的である。このため、強度および実施の容易性などの理由により、２つの軸受は、金属製のブラケットにより固定される。【００１７】
このような、固定子側のインピーダンスを変更することにより、軸受の内輪と軸受の外輪との間の電位バランスを保ち、電食を抑制する構成の場合、電動機の使用環境によってインピーダンスのバランスが崩れると、逆に軸電圧が高くなり、電食が発生しやすくなる。【００１８】
特に、室内機としての空気調和機の場合、金属で形成される熱交換器が空気調和機の内部を占める割合が大きい。さらに、熱交換器に対面して、回転軸に接続されたファンが配置されるため、熱交換器とファンとの間で大きな静電容量が形成されやすい。このため、このような空気調和機の場合、静電容量が影響して、電動機でのインピーダンスのバランスが崩れる可能性が高い。すなわち、固定子鉄心から輻射された高周波信号が、熱交換器およびファンを介して回転軸に高周波電流として流れ込み、軸受の内輪側の電位がさらに高くなる可能性がある。【００１９】
また、２つの軸受それぞれが、金属製のブラケットにより固定される場合、通常は上述の強度的な理由により、一方のブラケットと他方のブラケットとの形状や配置状態は異なる。このため、両ブラケットのインピーダンスは異なる。従って、一方のブラケットに誘起される電位と、他方のブラケットに誘起される電位とは異なる。つまり、２つの軸受で軸電圧が異なり、一方の軸受で電食が発生しない場合であっても、他方の軸受で電食が発生する可能性がある。
【先行技術文献】
【特許文献】
【００２０】
【特許文献１】特開２００７−１９８６２８号公報
【特許文献２】特開２００７−１５９３０２号公報
【発明の概要】
【００２１】
本発明は、電動機の軸受における電食の発生が抑制された空気調和機を提供する。本発明の空気調和機は、導電性金属部材を含み構成された熱交換器と、熱交換器により空気調和された空気を送風するファンと、ファンに接続された回転軸によりファンを回転駆動する電動機とを備える。さらに本発明は、電動機は、固定子鉄心に巻線が巻かれた固定子と、回転軸を中心に固定子に対向して配置された回転子と、回転軸を支持する軸受と、軸受を固定する２つの導電性のブラケットとを備える。さらに本発明は、熱交換器の導電性金属部材に大地アースを行うための接地部を有する。さらに本発明は、２つのブラケットを互いに電気的に接続し、固定子鉄心を接地部に電気的に接続する。
【００２２】
この構成により、固定子鉄心は接地部に接続されるため、固定子鉄心の電位がゼロとなる。さらに、熱交換器も接地部に接続されるため、熱交換器からファンを介して回転軸に流れ込む高周波電流が抑制され、軸受の内輪側の電位への影響が抑制される。また、２つのブラケットを電気的に接続することにより、両ブラケットが同電位となり、シャフトを介しての高周波電流の流れが抑制される。さらに、両ブラケットが同電位であるため、一方の軸受の内輪と外輪との間の電位差と、他方の軸受の内輪と外輪との間の電位差とが、近似あるいは同一となる。このように、導電性のブラケットによりそれぞれ固定された２つの軸受に対して、軸受の内輪と軸受の外輪との間の電位差が小さくなる。つまり、軸受の固定強度を確保しつつ、高周波によって発生する軸受の電食の発生が抑制される。
【００２３】
従って、本発明の空気調和機によれば、電動機の２つの軸受に発生する軸電圧が低く抑制されるため、電動機の電食の発生が抑制される。
【図面の簡単な説明】
【００２４】
【図１】図１は、本発明の実施の形態１における空気調和機の構成図である。
【図２】図２は、同実施の形態における空気調和機の電動機の一部切欠断面図である。
【図３】図３は、同実施の形態における空気調和機の構成を示す模式図である。
【図４】図４は、同実施の形態における、空気調和機の他の構成を示す模式図である。
【図５】図５は、同実施の形態における、空気調和機のさらに他の構成を示す模式図である。
【発明を実施するための形態】
【００２５】
（実施の形態１）
図１は、本発明の実施の形態１における空気調和機１００の構成図である。本実施の形態では、室内機として室内に設置される空気調和機１００を例に挙げて説明する。図１に示すように、空気調和機１００は、筐体１０１の内部に、熱交換器１０２とファン１０３と電動機１０４と電源部１０５とを備える。
【００２６】
熱交換器１０２は、導電性金属部材を含み構成され、暖房や冷房のために、吸入部（図示せず）から取り込んだ空気の熱交換を行う。ファン１０３は、クロスフローファンであり、熱交換器１０２により空気調和された空気を送風する。電動機１０４は、電動機１０４の回転軸１６を介してファン１０３に接続されており、ファン１０３を回転駆動する。また、電源部１０５は、電動機１０４やその他の電気部品を動作させるための電力を供給する。このような空気調和機１００の構成により、熱交換器１０２により空気調和された空気が、ファン１０３の回転により、例えば室内に送風される。
【００２７】
次に、本実施の形態における空気調和機１００に内蔵した電動機１０４の構成について説明する。図２は、本発明の実施の形態における空気調和機１００の電動機１０４の一部切欠断面図である。本実施の形態では、電動機１０４として、ＰＷＭ方式を利用したブラシレスモータを例に挙げて説明する。また、本実施の形態では、回転子１４が固定子１０の内周側に回転自在に配置されたインナーロータ型のブラシレスモータを例に挙げて説明する。
【００２８】
図２において、固定子鉄心１１には、インシュレータ（図示せず）などを介在させて、巻線である固定子巻線１２が巻かれる。このような固定子鉄心１１は、他の固定部材とともに、モールド材としての絶縁樹脂１３によりモールド成形される。本実施の形態では、これらの部材をモールド一体成形することにより、外形が略円筒形状の固定子１０が構成される。
【００２９】
固定子１０の内側には、空隙を介して回転子１４が挿入される。回転子１４は、回転子鉄心３１を含む円板状の回転体３０と、回転体３０の中央を貫通して締結された回転軸１６とを有する。回転体３０には、固定子１０の内周側に対向して周方向に、磁石３２が保持される。磁石３２は、例えばフェライト樹脂磁石などの永久磁石である。このように、固定子１０の内周側と回転体３０の外周側とが対向して配置される。
【００３０】
回転子１４の回転軸１６には、回転軸１６を支持する２つの軸受１５が取り付けられる。軸受１５は、複数の鉄ボール１５ｃを有した円筒形状のベアリングである。軸受１５の内輪側は、回転軸１６に固定される。図２においては、回転軸１６が電動機１０４の本体から突出した側となる出力軸側において、軸受１５ａが回転軸１６を支持する。また、出力軸側と反対側（以下、反出力軸側と呼ぶ）において、軸受１５ｂが回転軸１６を支持する。これらの軸受１５は、それぞれ導電性を有した金属製のブラケット１７、１９により、軸受１５の外輪側が固定される。図２においては、出力軸側の軸受１５ａがブラケット１７により固定され、反出力軸側の軸受１５ｂがブラケット１９により固定される。以上のような構成により、回転軸１６が２つの軸受１５により支持され、回転子１４が自在に回転する。
【００３１】
さらに、電動機１０４には、制御回路や駆動回路（いずれも図示せず）を実装したプリント基板１８が内蔵される。また、プリント基板１８には、駆動回路の電源（図示せず）、グランド線や制御信号などの接続線２０が接続される。
【００３２】
本実施の形態においては、導通ピン２２がブラケット１９に予め電気的に接続された状態でモールド一体成形される。固定子１０の出力軸側の端面には、導通ピン２２の先端が露出し、この先端がブラケット１７と電気的に接続される。この構成により、ブラケット１７とブラケット１９とは電動機１０４の内部で互いに電気的に接続される。
【００３３】
さらに、本実施の形態においては、モールド材である絶縁樹脂１３の一部には、貫通孔２３が設けられる。固定子鉄心１１に接続された接続ピン２４の一端は、貫通孔２３を通して外部へ突出する。接続ピン２４は、後述するとおり、大地アースを行うための接地部１１０に電気的に接続される。
【００３４】
以上のように構成された電動機１０４に対して、接続線２０を介して電源部１０５から各電源電圧および制御信号が供給される。これにより、プリント基板１８の駆動回路から固定子巻線１２に駆動電流が流れ、固定子鉄心１１から磁界が発生する。固定子鉄心１１からの磁界と磁石３２からの磁界とにより、磁界の極性に応じて吸引力および反発力が発生する。この吸引力および反発力によって回転軸１６を中心に回転子１４が回転する。回転軸１６の出力軸側にはファン１０３が接続されているため、回転軸１６の回転によってファン１０３が回転駆動される。
【００３５】
次に、電動機１０４の構成について詳細に説明する。まず、電動機１０４は、上述したように、回転軸１６が２つの軸受１５により支持されるとともに、それぞれの軸受１５は、ブラケット１７、１９により固定され、支持される。さらに、上述したようなクリープによる不具合を抑制するために、本実施の形態では、それぞれの軸受１５が、導電性を有した金属製のブラケット１７、１９により固定される。すなわち、本実施の形態では、予め鋼板で加工され寸法精度の高い導電性のブラケット１７、１９を軸受１５の固定に用いる。特に、電動機１０４の高出力化が要求される場合には、このような構成とすることがより好ましい。
【００３６】
具体的には、まず、反出力軸側の軸受１５ｂは、軸受１５ｂの外周径とほぼ等しい外周径のブラケット１９により固定される。また、ブラケット１９は、絶縁樹脂１３とモールド一体成形される。すなわち、図２に示すように、反出力軸側における絶縁樹脂１３の形状は、ブラシレスモータ本体から反出力軸方向へと突出する本体突出部１３ａを有した形状である。この本体突出部１３ａの本体内部側に、インナーブラケットとしてブラケット１９が配設され、絶縁樹脂１３によってモールド一体成形される。ブラケット１９は中空円筒状のカップ形状を有し、より具体的には、一方を開いた円筒部１９ａと、開いた側の円筒端部から外方向に少しだけ広がった環状のつば部１９ｂとを有する。円筒部１９ａの内周径は軸受１５ｂの外周径とほぼ等しく、円筒部１９ａに軸受１５ｂを挿入することにより、軸受１５ｂはブラケット１９を介するようにして絶縁樹脂１３にも固定される。この構成により、軸受１５ｂの外輪側は金属製のブラケット１９に固定されるため、クリープによる不具合が抑制される。また、つば部１９ｂの外周径は軸受１５ｂの外周径よりも少しだけ大きい。すなわち、つば部１９ｂの外周径は、軸受１５ｂの外周径よりも大きく、かつ、少なくとも回転体３０の外周径よりも小さい。ブラケット１９をこのような形状とすることにより、例えば、つば部１９ｂが回転体３０の外周を超えて固定子鉄心１１まで広がる構造に比べて、金属材料の使用量が抑制され、製造コストが抑制される。また、このように金属製のブラケット１９の面積が抑制され、さらに絶縁樹脂１３によりブラケット１９の外郭が覆われてモールド一体成形されるため、軸受１５ｂから発生する騒音が抑制される。
【００３７】
次に、出力軸側の軸受１５ａは、固定子１０の外周径とほぼ等しい外周径のブラケット１７により固定される。ブラケット１７は略円板形状であり、円板の中央に軸受１５ａの外周径とほぼ等しい径の突出部１３ｂを有する。突出部１３ｂの内側は中空である。電動機１０４は、プリント基板１８が内蔵されたのちに、ブラケット１７の突出部１３ｂの内側に軸受１５ａが挿入される。軸受１５ａが挿入されるとともに、ブラケット１７の外周に設けた接続端部と固定子１０の接続端部とが嵌合するように、ブラケット１７が固定子１０に圧入される。このようにして電動機１０４が形成される。この構成により、軸受１５ａの外輪側は金属製のブラケット１７に固定されるため、クリープによる不具合が抑制される。
【００３８】
以上のように構成された電動機１０４は、電気的には、上述したように、回転子１４側（つまり軸受１５の内輪側）のインピーダンスが低く、固定子１０側（つまり軸受１５の外輪側）が高い。ここで、固定子鉄心１１と回転体３０とはわずかな空隙を介して対面する。また、回転体３０および回転軸１６は導電体である。このため、回転子１４側のインピーダンスとして、固定子鉄心１１から軸受１５の内輪までの間を考えると、この間のインピーダンスは低い。さらに、この間のインピーダンスが低いため、固定子鉄心１１から発生した高周波信号は減衰せずに軸受１５の内輪に達する。この結果、軸受１５の内輪には高電位の高周波の電圧が発生する。
【００３９】
さらに、一般的に、室内機としての空気調和機１００は熱交換器１０２とファン１０３とが広い面積で対面するように配設される。このため、回転子１４の側のインピーダンスとして、熱交換器１０２とファン１０３とによる静電容量が並列接続された回路構成となる。つまり、さらにインピーダンスが低い。言い換えると、固定子鉄心１１から発生した高周波信号は、金属製の熱交換器１０２およびファン１０３を介して回転軸１６に到達し、回転子１４の側の電位に影響を与える。
【００４０】
これに対し、固定子１０の側のインピーダンスとして、固定子鉄心１１から軸受１５の外輪までの間を考えると、例えば軸受１５ａの外輪に接続されたブラケット１７は固定子鉄心１１からある程度の間隔を持って配置されるため、この間のインピーダンスは高い。さらに、この間のインピーダンスが高いため、固定子鉄心１１から発生した高周波信号は減衰して軸受１５の外輪に達する。この結果、軸受１５の外輪には、低電位の高周波の電圧が発生する。
【００４１】
このように、回転子１４の側と固定子１０の側とのインピーダンスがアンバランスであるため、軸受１５の内輪と外輪との間に電位差、すなわち軸電圧が発生する。軸電圧が発生することにより、軸受１５に電食が発生する。また、このような軸電圧を発生させる信号の主な発生源は、ＰＷＭ方式の高周波のスイッチングで駆動される巻線が巻かれた固定子鉄心１１である。すなわち、固定子鉄心１１は、高周波の電流で駆動される巻線が巻かれるため、固定子鉄心１１には、駆動電流によって発生する磁束とともに、駆動高周波による高周波信号も発生する。この発生した高周波信号が空間を介して、軸受１５の内輪および外輪に誘導される。
【００４２】
図３は、本発明の実施の形態における空気調和機１００の構成を示す模式図である。以下、図３を参照し、本実施の形態における電食を抑制するための構成について説明する。
【００４３】
まず、図３に示すように、熱交換器１０２は、大地アースを行うための接地部１１０を有する。接地部１１０は、熱交換器１０２の導電性金属部材に設けられる。接地部１１０は、接地線１１０ａを介して、大地アースを行うための接地棒（図示せず）などに電気的に接続される。具体的には、例えば、接地部１１０に接続された接地線１１０ａが室外機（図示せず）まで延伸され、室外機から大地に接地棒を用いて接地される。
【００４４】
このように熱交換器１０２を接地することにより、熱交換器１０２に誘導された高周波信号は大地へと流れ込む。このため、熱交換器１０２の電位がゼロになる。さらに、固定子鉄心１１から回転体３０を介して軸受１５の内輪に達した高周波の電圧も、回転軸１６およびファン１０３から熱交換器１０２へと達する。この結果、軸受１５の内輪に発生する電位が抑制される。
【００４５】
また、図３に示すように、軸電圧を発生させる高周波信号の主な発生源である固定子鉄心１１は、接続ピン２４を介して接地部１１０に電気的に接続される。このため、固定子鉄心１１から発生した高周波信号も大地へと流れ込む。従って、固定子鉄心１１から発生した高周波信号が減衰され、軸受１５の内輪と外輪との間に発生する電位が抑制される。
【００４６】
さらに、本実施の形態は、２つのブラケット、すなわち、ブラケット１７とブラケット１９とを導通ピン２２により電気的に接続した構成である。この構成により、２つのブラケットが同電位になり、回転軸１６を介しての高周波電流の流れが抑制される。さらに、２つのブラケットが同電位であるため、軸受１５ａの内輪と外輪との間の電位差と、軸受１５ｂの内輪と外輪との間の電位差とが、近似あるいは同一となる。このため、一方のブラケットのみに電食が集中して発生することが抑制される。
【００４７】
以上説明したように、空気調和機１００は、熱交換器１０２に大地アースを行うための接地部１１０を有するとともに、ブラケット１７とブラケット１９と互いに電気的に接続し、さらに固定子鉄心１１と接地部１１０とを電気的に接続する。このため、軸受１５ａおよび軸受１５ｂのそれぞれの軸電圧が低く抑制される。これによって、電食の発生が抑制される。
【００４８】
なお、以上の説明では、固定子鉄心１１を接地部１１０に電気的に接続する例を説明した。一方、互いに電気的に接続したブラケット１７とブラケット１９とをさらに、接地部１１０に電気的に接続するような構成とすることができる。この構成を図４を用いて説明する。図４は、本発明の実施の形態における空気調和機１００の他の構成を示す模式図である。図４に示す構成において、接続ピン２４と導通ピン２２とが、さらに電気的に接続されるとともに、接地部１１０にも電気的に接続される。この構成により、ブラケット１７およびブラケット１９も大地にアースされ、２つのブラケットに発生する高周波の電圧が抑制され、軸電圧が低くなる。
【００４９】
また、図５は、本発明の実施の形態における空気調和機１００のさらに他の構成を示す模式図である。図５に示す構成において、接続ピン２４と導通ピン２２とが電気的に接続され、さらに、キャパシタ１１１を介して接地部１１０に電気的に接続される。キャパシタ１１１を介することにより、高周波信号のみが大地にアースされる。このため、電食の発生が抑制されるとともに、ノイズの発生も低減される。なお、図５の構成は、図４の構成に、さらにキャパシタ１１１を設けた構成であるが、一方、図３の構成に対して、固定子鉄心１１のみをキャパシタ１１１を介して接地部１１０に電気的に接続する構成とすることもできる。
【産業上の利用可能性】
【００５０】
本発明の空気調和機は、電動機の軸電圧が低減されることにより、軸受における電食の発生が抑制される。このため、空気調和機の室内機などに利用できる。
【符号の説明】
【００５１】
１０    固定子
１１    固定子鉄心
１２    固定子巻線（巻線）
１３    絶縁樹脂
１３ａ    本体突出部
１３ｂ    突出部
１４    回転子
１５，１５ａ，１５ｂ    軸受
１５ｃ    鉄ボール
１６    回転軸
１７，１９    ブラケット
１８    プリント基板
２０    接続線
２２    導通ピン
２４    接続ピン
３０    回転体
３１    回転子鉄心
３２    磁石
１００    空気調和機
１０１    筐体
１０２    熱交換器
１０３    ファン
１０４    電動機
１０５    電源部
１１０    接地部
１１０ａ    接地線
１１１    キャパシタ
【図１】
2011043075.tif 000003
【図２】
2011043075.tif 000004
【図３】
2011043075.tif 000005
【図４】
2011043075.tif 000006
【図５】
2011043075.tif 000007
【国際調査報告】
2011043075.tif 000008
2011043075.tif 000009
2011043075.tif 000010
2011043075.tif 000011